(57)【要約】【課題】調理時に発生する油煙を含むレンジフード内に能動消音装置を設置しても、メンテを容易にする構成とすることで消音効果の劣化を抑え、かつ気流による消音効果の低下を抑制することを目的とする。【解決手段】フード下面に光源１３を光源収納空間１４に収めた構成であって、マイクロホン９とスピーカ１０の近傍に連通口を有する光源収納空間１４とのマイクロホン連通路１６とスピーカ連通路１８を備えて加熱手段とした構成とした。【選択図】図１
2014088986.tif 000002
【特許請求の範囲】
【請求項１】
加熱調理器の上方に設置され、屋外に連通した吐出口と、調理時に発生する油煙を含んだ空気を吸い込む吸込口とを有するフードと、
前記フード内に前記吐出口と前記吸込口とを結ぶ風路内の空気を屋外に排気する換気用ファンとモータと、
マイクロホンとスピーカから構成される能動消音装置を備えたレンジフードにおいて、
マイクロホンとスピーカの少なくとも一方の周辺の壁面を温める加熱手段を備えたことを特徴とするレンジフード。
【請求項２】
加熱調理器を照らすための照明部をフード下面に備え、前記照明部は光源を光源収納空間に収めた構成であって、前記マイクロホンと前記スピーカの少なくとも一方の近傍に連通口を有する前記光源収納空間との連通路を備えて加熱手段としたことを特徴とする請求項１記載のレンジフード。
【請求項３】
連通路が光源収納部を始点として連通口までの全域で水平もしくは上り勾配であることを特徴とした請求項２に記載のレンジフード。
【請求項４】
マイクロホンとスピーカの少なくとも一方が、それぞれの連通路よりも上方に備えられることを特徴とした請求項２または３に記載のレンジフード。
【請求項５】
連通路内にマイクロホンとスピーカの少なくとも一方を備えたことを特徴とする請求項２または３に記載のレンジフード。
【請求項６】
連通口に細孔を有するカバーを取り付けたことを特徴とする請求項５に記載のレンジフード。
【請求項７】
ファンとモータの運転停止後に、自動的にマイクロホンとスピーカの少なくとも一方の周辺を加熱している状態とし、一定時間経過後に自動的に加熱を停止する自動停止方式を備えた請求項１から６のいずれかに記載のレンジフード。
【発明の詳細な説明】
【技術分野】
【０００１】
本発明は、レンジフードの風路に付設してレンジフード運転時に発生する騒音を消音するための能動消音装置を備えたレンジフードに関するものである。
【背景技術】
【０００２】
近年、台所に設置されるレンジフードは運転時に発生する騒音を低下することが求められている。このような課題を解決する手段の一つとして、レンジフード内に能動消音装置を搭載するという方法が挙げられる。
【０００３】
従来、通風路用の能動型消音装置として、スピーカやマイクロホンと通風路の間に通音性がある板材を設置するものが知られている（例えば特許文献１参照）。
【０００４】
以下、その能動型消音装置について図６を参照しながら説明する。
【０００５】
図６に示すように、ダクト２０１の上面にスピーカボックス２０２が板材２０３を介して載置され螺子２０４止めされている。スピーカボックス２０２は、内側にスピーカ２０５を備え、外側にマイクロホン２０６を保持している。スピーカ２０５とマイクロホン２０６は板材２０３を介してダクト２０１と連通している。
【０００６】
板材は通音性、断熱性、気密性に優れた材料、例えばこれら３つの性質を備えた連続気泡の軟質ウレタンフォーム、或いは、通音性、気密性効果のあるフィルムと通音性、断熱性効果のあるグラスウール又はフェルトを重ね合わせた材料から成る。スピーカ２０５とマイクロホン２０６は信号処理制御部（図示せず）と電気的に接続されている。
【０００７】
ダクトの上流（図６の左側）からの騒音が伝播する際、板材２０３を介してマイクロホン２０６にて検出され、電気信号に変換され信号処理制御部にて所定の信号処理をされてスピーカ２０５に供給され、消音音波に変換される。この消音音波は板材２０３を介してダクト２０１内に放出され、騒音と干渉し、消音するように作用する。
【０００８】
スピーカ２０５やマイクロホン２０６が通風路であるダクト２０１に面して設置されているため、通風路であるダクト２０１を伝播する騒音に対して高い消音効果を期待でき、また板材２０３を介しているため、ダクト２０１内部の熱や塵埃や湿気などからマイクロホン２０６やスピーカ２０５を保護でき、消音効果の劣化を抑制することが期待できる。
【先行技術文献】
【特許文献】
【０００９】
【特許文献１】特開平７−７２８７３号公報
【発明の概要】
【発明が解決しようとする課題】
【００１０】
しかしながら上記特許文献１に記載の能動型消音装置では、レンジフードのように油煙を含んだ気流がダクト２０１を通風する場合、高い粘性のある油分が、板材２０３の通音性の確保に必要な板材２０３の微細な隙間（たとえば軟質ウレタンフォームの連続発泡部やグラスウールの繊維の間）に入り込むため、長期使用時に板材２０３の通音性が損なわれ、消音効果が低下するという課題がある。
【００１１】
また板材２０３の微細な隙間に入り込んだ油分は、板材２０３をダクト２０１に取り付けた状態での拭き取りなどの簡素なメンテナンス作業では除去できず、あるいは板材２０３を取り外して拭き取りをしても油分を更に板材２０３に押し込んでしまうため、通音性を回復することは困難であり、能動型消音装置の消音効果の低下を抑制するためには、板材２０３を取り外して洗浄する、あるいは板材２０３を交換するなど、複雑なメンテナンス作業を必要とするという課題がある。
【００１２】
そこで本発明は、上記課題を解決するものであり、油煙が通過する通風路に対して高い消音効果がある能動型消音装置を備え、マイクロホンとスピーカ周辺のメンテナンス作業を低減するとともに能動型消音装置の消音効果の低下を抑制できるレンジフードを提供することを目的とする。
【課題を解決するための手段】
【００１３】
そして、本発明は上記目的を達成するために、加熱調理器の上方に設置され、屋外に連通した吐出口と、調理時に発生する油煙を含んだ空気を吸い込む吸込口とを有するフードと、前記フード内に前記吐出口と前記吸込口とを結ぶ風路内の空気を屋外に排気する換気用ファンとモータと、マイクロホンとスピーカから構成される能動消音装置を備えたレンジフードにおいて、マイクロホンとスピーカの少なくとも一方の周辺の壁面を温める加熱手段を備えたものであり、これによって所期の目的を達成するものである。
【発明の効果】
【００１４】
本発明によれば、調理時に発生する高温高湿の油煙を含むレンジフード内に能動消音装置を設置しても、マイクロホンとスピーカのメンテナンス作業を低減する構成とすることで消音効果の低下を抑え、かつ気流による消音効果の低下も抑制することができる。
【図面の簡単な説明】
【００１５】
【図１】本発明の実施の形態１のレンジフードの側断面を示す構成図
【図２】同レンジフードの連通路近傍の側断面図
【図３】本発明の実施の形態２のレンジフードの側断面を示す構成図
【図４】同レンジフードの連通路近傍の側断面図
【図５】本発明の実施の形態３のレンジフードの側断面を示す構成図
【図６】従来の能動消音装置を示す断面図
【発明を実施するための形態】
【００１６】
本発明の請求項１記載のレンジフードは、加熱調理器の上方に設置され、屋外に連通した吐出口と、調理時に発生する油煙を含んだ空気を吸い込む吸込口とを有するフードと、前記フード内に前記吐出口と前記吸込口とを結ぶ風路内の空気を屋外に排気する換気用ファンとモータと、マイクロホンとスピーカから構成される能動消音装置を備えたレンジフードにおいて、マイクロホンとスピーカの少なくとも一方の周辺の壁面を温める加熱手段を備えたものである。
【００１７】
これにより、マイクロホン、もしくはスピーカ近傍の温度を上昇させることで、マイクロホン、もしくはスピーカ周辺に油煙として付着した油の滴下を促進し、油が凝固する量を低減したり、凝固そのものを抑えたりすることで、メンテナンス作業を低減するとともに能動型消音装置の消音効果の低下を抑制できる。
【００１８】
また、加熱調理器を照らすための照明部をフード下面に備え、前記照明部は光源を光源収納空間に収めた構成であって、前記マイクロホンと前記スピーカの少なくとも一方の近傍に連通口を有する前記光源収納空間との連通路を備えて加熱手段としたものであり、光源の熱を連通路を解してマイクロホン、もしくはスピーカ近傍に移送し温度を上昇させることで、マ光源の余熱を利用することが出来、照明を搭載するレンジフードにおいて、省エネかつ省部品でメンテナンス作業を低減するとともに能動型消音装置の消音効果の低下を抑制できる。
【００１９】
また、連通路が光源収納部を始点として連通口までの全域で水平もしくは上方に向かう形状であることにより、光源からの高温空気のもつ上昇する性質を利用して、熱移送の効果を上げて連通口まで導くことができるので、消音効果の低下防止効果を向上することが出来る。
【００２０】
また、マイクロホンとスピーカの少なくとも一方が、それぞれの連通路よりも上方に備えられるものであり、光源からの高温空気のもつ上昇する性質に逆らって熱の移動を閉塞させることなく連通口まで導くことができるので、消音効果の低下防止効果を向上することが出来る。
【００２１】
また、連通路内にマイクロホンとスピーカの少なくとも一方を備えたものであり、熱位相の経路の油滴進入が起こりにくい箇所にマイクロホン、もしくはスピーカを配置することで、油煙の付着そのものを抑えて、メンテナンス作業を低減するとともに能動型消音装置の消音効果の低下を抑制できる。
【００２２】
また、連通路出口（光源収納部と反対側）に細孔を有するカバーを取り付けたものであり、カバーによる防油煙効果が得られるので、マイロホンク、スピーカに対する油煙の付着そのものを抑えることができ、かつカバーを取り外してメンテできるようにすることで、能動型消音装置の消音効果の低下をさらに抑制できる。
【００２３】
また、ファンとモータの運転停止後に、自動的にマイクロホンとスピーカの少なくとも一方周辺を加熱している状態とし、一定時間経過後に自動的に加熱を停止する自動停止方式を備えたものであり、加熱による防油効果を排気（灰油煙）完了後にも行うことで、油煙として付着した油を完全に滴下させることができるので、メンテナンス作業を低減するとともに能動型消音装置の消音効果の低下を抑制できる。
【００２４】
（実施の形態１）
以下、本発明の実施の形態について、図１、図２、を参照しながら説明する。
【００２５】
図１のレンジフード側断面図に示すように、本実施の形態のレンジフード１は、屋外に連通した吐出口２と、調理時に発生する油煙を含んだ空気を吸い込む吸込口３とを有するフード４と、吐出口２と吸込口３とを結ぶフード４内の風路６内に空気を屋外に排気する排気用ファン７と、排気用ファン７を駆動するモータ８と、風路６内の吸込口３近傍に設置して吸い込んだ空気から油塵を除去するフィルタ５を備えたものである。
【００２６】
そして、レンジフード１に付設する能動型消音装置１１は、風路６内を伝播する騒音を検出するマイクロホン９と、マイクロホン９によって検出された騒音とは逆位相の音を風路６内に放出して消音するスピーカ１０と、これらを接続してコントロールする演算制御器（図示せず）から構成されている。
【００２７】
また、フード４の下面には、加熱調理器周辺を照らす照明部１２を備え、照明部１２は白熱球もしくは蛍光灯の光源１３を光源収納空間１４に収めたものであり、光源収納空間１４から上方に向かう通路と、マイクロホン９の下端近傍に設け風路６に開口したマイクロホン連通口１５から水平に向かう通路を連通したマイクロホン連通路１６と、光源収納空間１４から上方に向かう通路と、スピーカ１０の下端近傍に設け風路６に開口したスピーカ連通口１７から水平に向かう通路を連通したスピーカ連通路１８を有しており、光源１３からの熱が連通口に伝わることでマイクロホン９、スピーカ１０の周辺を温める加熱手段となっている。
【００２８】
また、レンジフード１は排気用ファン７とモータ８の運転停止後に、例えば５分程度の一定時間、光源１３が点灯した状態となって、この間、マイクロホン９とスピーカ１０を暖め続けた状態になり、その後自動的に光源１３が消灯される自動停止方式を備えている。
【００２９】
上記構成により、吸込口３から吸い込まれた排気風は風路６内を、フィルタ５、排気用ファン７の順で通過した後、吐出口２からフード外へと排気され、能動型消音装置１１を備えているために、送風に伴うファン騒音は低減されて居室につながる吸込口３から放射されることとなる。
【００３０】
吸込口３からの排気風は油煙を含んだ気流となり、大部分はフィルタ５で捕集されるが、油煙の微量な一部はフィルタ５を通過し風路６内に進入し、風路６の内壁に油煙が付着することとなる。
【００３１】
ここで、マイクロホン連通路１６と、スピーカ連通路１８の近傍の側断面図である図２を用いて油煙の付着を低減する作用・効果を説明する。
【００３２】
図２に示すように、光源１３を点灯すると光源１３の発熱により、光源収納空間１４が熱い空気で満たされることとなる。この熱がマイクロホン連通路１６とスピーカ連通路１８を通って、マイクロホン連通口１５とスピーカ連通口１７から熱が伝達されることでマイクロホン９とスピーカ１０の近傍の壁面を温める。
【００３３】
これにより、排気風で運ばれて風路６内のマイクロホン９とスピーカ１０のまわりの壁面に付着した油が温まり、油が滴下しやすくなるので、マイクロホン９とスピーカ１０に留まって、その後凝固することがなくなり、凝固した油付着によりマイクロホン９やスピーカ１０の特性が変化し、消音効果が低下することを防ぐことができ、メンテナンス作業を低減するとともに能動型消音装置１１の消音効果の低下を抑制できる。
【００３４】
さらに、マイクロホン連通口１５がマイクロホン９の下方に、スピーカ連通口１７がスピーカ１０の下方にあることから、暖められた空気が上昇気流となってマイクロホン９とスピーカ１０を横切り、エアカーテンと同様の原理で風路６内部の排気風に含まれる油煙がマイクロホン９とスピーカ１０に付着するのを防ぐ作用を有し、マイクロホン９やスピーカ１０の特性変化による消音効果が低下することを防ぐことができる。
【００３５】
また、マイクロホン連通口１５とスピーカ連通口１７が、光源収納空間１４を始点として各連通口までの全域で上昇気流を妨げる下り勾配をもたないことから、熱移送の効果を低下させないため、消音効果の低下防止効果を向上することが出来る。
【００３６】
また、自動停止方式により、加熱による防油効果を排気（灰油煙）完了後にも行うことで、油煙として付着した油を完全に滴下させることができるので、メンテナンス作業を低減するとともに能動型消音装置の消音効果の低下を抑制できる。
【００３７】
なお、実施の形態１では、マイクロホン９とスピーカ１０の両方に対応する連通路と連通口を設けているが、連通路の取り回しが困難な場合は、マイクロホン連通路１６またはスピーカ連通路１８は省いても良く、この場合は連通路を有するマイクロホン９またはスピーカ１０のみに消音効果の低下抑制作用を得ることが出来る。
【００３８】
（実施の形態２）
実施の形態２において、実施の形態１と同様の構成要素については同一の符号を付し、その詳細な説明は省略し、図３、図４を参照しながら説明する。
【００３９】
図３のレンジフード側断面図に示すように、本実施の形態２のレンジフード２１は、照明部１２の光源収納空間１４から上方に向かう通路と、風路６に開口したマイクロホン連通口１５から水平に向かう通路を連通したマイクロホン連通路１６と、光源収納空間１４から上方に向かう通路と、風路６に開口したスピーカ連通口１７から水平に向かう通路を連通したスピーカ連通路１８を有している。
【００４０】
ここで、マイクロホン９をマイクロホン連通路１６の内部に、スピーカ１０をスピーカ連通路１８の内部に備えており、光源１３からの熱が連通口に伝わることでマイクロホン９、スピーカ１０の周辺を温める加熱手段となっており、さらにマイクロホン連通口１５とスピーカ連通口１７には、それぞれ細孔を有する連通口カバー２２を取りつけた構成となっている。
【００４１】
上記構成により、マイクロホン連通路１６と、スピーカ連通路１８の近傍の側断面図である図４に示すように、光源１３を点灯すると光源１３の発熱により、光源収納空間１４が熱い空気で満たされることとなる。よって熱位相が行われるマイクロホン連通路１６とスピーカ連通路１８の油滴進入が起こりにくい箇所にマイクロホン、もしくはスピーカを配置することで、油煙の付着そのものを抑えて、メンテナンス作業を低減するとともに能動型消音装置１１の消音効果の低下を抑制できる。
【００４２】
また、連通口カバー２２は油煙の進入を構造的に抑制しながら、細孔により音は通過させるので、マイクロホン、スピーカに対する油煙の付着そのものを抑えることができ、かつカバーを取り外してメンテできるようにすることで、能動型消音装置の消音効果の低下をさらに抑制できる。
【００４３】
なお、実施の形態２ではマイクロホン９はマイクロホン連通路１６の上面の壁に、スピーカ１０はスピーカ連通路１８の上面の壁に備えているが、下面の壁に備えた場合には油が侵入した場合に、油溜まりとなることを避けるため、側面か上面に備えることが望ましい。
【００４４】
（実施の形態３）
実施の形態３において、実施の形態１，２と同様の構成要素については同一の符号を付し、その詳細な説明は省略し、図５を参照しながら説明する。
【００４５】
図５のレンジフード側断面図に示すように、本実施の形態３のレンジフード３１は、マイクロホン９とスピーカ１０の周囲の風路６の壁面に、壁面を温める電熱線３２を取付けている。
【００４６】
また、レンジフード３１は排気用ファン７とモータ８の運転停止後に、例えば５分程度の一定時間、電熱線３２が通電され、この間、マイクロホン９とスピーカ１０を暖め続けた状態になり、その後自動的に電熱線３２への通電が遮断される自動停止方式を備えている。
【００４７】
上記構成により、マイクロホン９、もしくはスピーカ１０の近傍の温度を上昇させ、マイクロホン９、もしくはスピーカ１０の周辺に油煙として付着した油の滴下を促進し、油が凝固する量を低減したり、凝固そのものを抑えたりすることで、メンテナンス作業を低減するとともに能動型消音装置１１の消音効果の低下を抑制できる。
【００４８】
また、自動停止方式により、加熱による防油効果を排気（灰油煙）完了後にも行うことで、油煙として付着した油を完全に滴下させることができるので、メンテナンス作業を低減するとともに能動型消音装置の消音効果の低下を抑制できる。
【産業上の利用可能性】
【００４９】
本発明にかかるレンジフード用能動消音装置は、十分な消音効果を得るとともに、性能劣化の要因となる油からマイクロホンやスピーカを守り、長期使用可能であることから、油煙を含む環境下における換気装置に搭載する消音装置として有用である。
【符号の説明】
【００５０】
１    レンジフード
２    吐出口
３    吸込口
４    フード
５    フィルタ
６    風路
７    排気用ファン
８    モータ
９    マイクロホン
１０  スピーカ
１１  能動型消音装置
１２  照明部
１３  光源
１４  光源収納空間
１５  マイクロホン連通口
１６  マイクロホン連通路
１７  スピーカ連通口
１８  スピーカ連通路
２１  レンジフード
２２  連通口カバー
３１  レンジフード
３２  電熱線
【図１】
2014088986.tif 000003
【図２】
2014088986.tif 000004
【図３】
2014088986.tif 000005
【図４】
2014088986.tif 000006
【図５】
2014088986.tif 000007
【図６】
2014088986.tif 000008